(57)【要約】      （修正有）【課題】液晶表示装置を厚くすることなく回路基板を位置決めする液晶表示装置を提供する。【解決手段】複数の表示画素ＰＸが配列された表示領域を備える液晶表示パネル１０と、液晶表示パネル１０に電気的に接続された回路基板１４と、液晶表示パネル１０を背面から照明する面光源装置３０と、液晶表示パネル１０と面光源装置３０とを支持するとともに、面光源装置３０の背面に沿って延びる突出部４２を備えるフレーム４０と、を備え、回路基板１４は、面光源装置３０の背面側に配置されるとともに、その一端部をフレーム４０の突出部４２に支持され、突出部４２は、回路基板１４の厚さ方向の動きを抑制する段差４３と、段差４３が形成された位置を面光源装置３０の背面側から目視可能とする位置出し部４４と、を有する。【選択図】      図４
2006133398.tif 000002
【特許請求の範囲】
【請求項１】
複数の表示画素が配列された表示領域を有する液晶表示パネルと、
前記液晶表示パネルに電気的に接続された回路基板と、
前記液晶表示パネルを背面から照明する面光源装置と、
前記液晶表示パネルと前記面光源装置とを支持するとともに、前記面光源装置の背面に沿って延びる突出部を有するフレームと、を備え、
前記回路基板は、前記面光源装置の背面側に配置されるとともに、その一端部を前記フレームの前記突出部に支持され、
前記突出部は、前記回路基板の厚さ方向および面方向の動きを規制する段差と、
前記段差が形成された位置を前記面光源装置の背面側から目視可能とする位置出し部と、を有する液晶表示装置。
【請求項２】
前記位置出し部は、前記段差の延出方向の両端側で前記突出部に形成されている請求項１記載の液晶表示装置。
【請求項３】
前記位置出し部は、前記突出部から突出した位置出し突起を有する請求項１または請求項２記載の液晶表示装置。
【請求項４】
前記位置出し部は、前記突出部に形成された位置出し切欠きを有する請求項１または請求項２記載の液晶表示装置。
【請求項５】
前記位置出し突起は、前記突出部が形成された前記フレームの枠部の長手方向と略平行に延びるとともに、前記枠部の長手方向と略平行に延びた端面を有し、前記端面は前記段差の前記突出部の厚さ方向に略平行な面に整列して形成された請求項３記載の液晶表示装置。
【請求項６】
前記位置出し切欠きは、前記突出部が形成された前記フレームの枠部の長手方向と略平行に形成されるとともに、前記枠部の長手方向と略平行に延びる端面を有し、前記端面は前記段差の前記突出部の厚さ方向に略平行な面に整列して形成された請求項４記載の液晶表示装置。
【請求項７】
前記回路基板は、フレキシブル基板によって前記液晶表示パネルに電気的に接続され、前記フレキシブル基板を湾曲させることにより前記面光源装置の背面側に配置されるとともに、前記フレキシブル基板から外れた位置で、前記突出部に支持されている請求項１乃至請求項６のいずれかに記載の液晶表示装置。
【発明の詳細な説明】
【技術分野】
【０００１】
本発明は、突出部を備えたフレームを有する液晶表示装置に関する。
【背景技術】
【０００２】
一般に、液晶表示装置は、複数の表示画素が配列された液晶表示パネルと、液晶表示パネルに電気的に接続されて駆動信号を供給する回路基板と、液晶表示パネルを背面から照明する面光源装置と、液晶表示パネルと面光源装置とを支持するフレームと、を有している。フレームには、面光源装置の背面に沿って延びた突出部が形成されている。突出部は、回路基板を位置決めするための段差を備えている。回路基板は、フレキシブル基板によって液晶表示パネルに接続されている。
【０００３】
上記の液晶表示装置を組み立てる際に、回路基板はフレキシブル基板を湾曲させて面光源装置の背面側に配置されるとともに、フレームに形成された突出部と面光源装置との空間に、一端部を差し込んで所定位置に保持されている。
【０００４】
このとき、回路基板の差し込み量が大きすぎると、回路基板が突出部の段差を越えて面光源装置の背面側と突出部との接触面に入り込むために、液晶表示装置が厚くなるとともに、表示画像の劣化を招く場合があった。
【０００５】
従来、回路基板が面光源装置の背面側と突出部との接触面に入り込むことを防ぐために、面光源装置の背面側と突出部との接触面に両面テープを貼り、回路基板の入り込む隙間を埋める方法が提案されている。この他に、回路基板に形成された位置決め穴に、面光源装置の導光体に形成された突起をはめ込む方法が提案されている。（特許文献１参照）
【特許文献１】特開２００１−２１５８９６号公報
【発明の開示】
【発明が解決しようとする課題】
【０００６】
しかし、上記の面光源装置の背面側と突出部との接触面に両面テープを貼る方法では、反射シートにヨレが生じて表示画像の劣化を招くことがあった。一方、上記の回路基板の位置決め方法では、導光体の突起が回路基板を厚さ方向に貫いてはめ込まれるため、回路基板の背面側に突出した突起の分だけ、液晶表示装置が厚くなる場合があった。
【０００７】
本発明は、上記のような問題点に鑑みて成されたものであって、表示画像の劣化を防ぐとともに、液晶表示装置を厚くすることなく回路基板を所定位置に容易に位置決め可能な液晶表示装置を提供することを目的とする。
【課題を解決するための手段】
【０００８】
本発明の様態による液晶表示装置は、複数の表示画素が配列された表示領域を有する液晶表示パネルと、前記液晶表示パネルに電気的に接続された回路基板と、前記液晶表示パネルを背面から照明する面光源装置と、前記液晶表示パネルと前記面光源装置とを支持するとともに、前記面光源装置の背面に沿って延びる突出部を有するフレームと、を備え、前記回路基板は、前記面光源装置の背面側に配置されるとともに、その一端部を前記フレームの前記突出部に支持され、前記突出部は、前記回路基板の厚さ方向および面方向の動きを規制する段差と、前記段差が形成された位置を前記面光源装置の背面側から目視可能とする位置出し部とを有する。
【発明の効果】
【０００９】
本発明によれば、表示画像の劣化を防ぐとともに、液晶表示装置を厚くすることなく回路基板を所定位置に容易に位置決め可能な液晶表示装置を提供することができる。
【発明を実施するための最良の形態】
【００１０】
以下、本発明の一実施の形態に係る液晶表示装置について図面を参照して説明する。図１は、本発明の一実施形態に係る液晶表示装置１００を概略的に示す分解斜視図である。図１に示すように、液晶表示装置１００は、略矩形状の液晶表示パネル１０、液晶表示パネル１０を裏面から照明する面光源装置３０、液晶表示パネル１０と面光源装置３０とを支持するフレーム４０、およびフレーム４０に取り付けられて液晶表示パネル１０の周縁部を保持するベゼルカバー２０を備えている。
【００１１】
液晶表示パネル１０は、対向配置されたアレイ基板１１と対向基板１３とを備えている。アレイ基板１１と対向基板１３との間には液晶層が挟持され、アレイ基板１１と対向基板１３との外側にはそれぞれ偏光版が配置されている。
【００１２】
液晶表示パネル１０は、画像を表示させる表示領域に相当する表示部１２を有している。アレイ基板１１は、表示部１２において、画素ＰＸの行方向に沿って延在する複数の走査線Ｓｃ、画素ＰＸの列方向に沿って延在する複数の信号線Ｓｇ、およびこれら走査線Ｓcと信号線Ｓｇとの交差部付近において画素ＰＸ毎に配置されたスイッチング素子Ｓw等を備えている。スイッチング素子Ｓwは、例えばポリシリコン半導体層を有した薄膜トランジスタ（ＴＦＴ）によって構成されている。
【００１３】
アレイ基板１１および対向基板１３は、全表示画素ＰＸの画素電極２２と対向電極３１とを対向させた状態で配置され、これらの間にギャップを形成する。液晶層は、アレイ基板１１と対向基板１３とのギャップに封止された液晶組成物によって形成されている。
【００１４】
液晶表示パネル１０に駆動信号を供給する矩形平板状の回路基板１４は、細長い矩形略平板状のフレキシブル基板１６を介して、液晶表示パネル１０の一側縁に電気的に接続されている。
【００１５】
図２は、図１に示す面光源装置３０をさらに分解した分解斜視図である。図２に示すように、面光源装置３０は、光源としての冷陰極管３２と、冷陰極管３２の出射光を面状光に変換して液晶表示パネル１０に向けて出射する導光体３４と、冷陰極管３２の出射光を導光体３４の光入射面３４cに入射させる反射体としてのリフレクタ３６とを有している。
【００１６】
導光体３４は、透光性を持つ樹脂により形成され、光入射面３４cから入射された光を出射する光出射面３４aと、光出射面３４aに対向した対向面３４bとを備えている。導光体３４は、光入射面３４cの法線方向に向かって徐々に厚さが薄くなる楔形に形成されている。このような形状にすることによって、面光源装置３０の裏面側に回路基板１４を収容するスペースを確保している。
【００１７】
導光体３４の光出射面３４a側には、光学シート３６が配置される。光学シート３６は導光体３４の光出射面３４aから出射された面状光に対して、所定の光学特性を付与するもので、例えば、導光体３４の出射光を集光する集光シート、および出射光を拡散する拡散シート等である。導光体３４の対向面３４b側には光学シートとしての反射シート３８が配置されている。反射シート３８は、導光体３４の対向面３４bから外部へ出た光を導光体３４に戻すべく反射する。
【００１８】
フレーム４０は、液晶表示パネル１０に対応した矩形状に形成され、それぞれパネルの辺に対応した４つの直線状の枠部４１を有している。フレーム４０の１つの枠部４１、例えば、長辺側の枠部４１には、２つの突出部４２が突設されている。
【００１９】
反射シート３８、導光板３４、および光学シート３６は上記のように重ねられ、フレーム４０に収容される。光学シート３６上には液晶表示パネル１０が収容され、さらに、液晶表示パネル１０上からベゼルカバー２０がフレーム４０に取り付けられる。回路基板１４は、フレキシブル基板１６を湾曲させることにより面光源装置３０の背面側に配置されるとともに、フレキシブル基板１６と接続された側の端部１４aの、フレキシブル基板１６から外れた位置で、フレーム４０の突出部４２に支持される。
【００２０】
図３は、フレーム４０の突出部４２を面光源装置３０の背面側から見た正面図で、図４は、図３に示す液晶表示装置をＡ−Ａ´で切断した断面図である。図３および図４に示すように、フレーム４０は、面光源装置３０の背面に沿って延びた突出部４２を有している。図４に示すように、突出部４２はその先端部に段差４３を有している。段差４３は面光源装置３０を支持する第１端面４２ｔ、回路基板１４を支持する第２端面４２c、および第１端面４２tと第２端面４２cとの間を液晶表示装置１００の厚さ方向と略平行に延びる段差面４２wを有している。この段差面４２wの厚さ方向（Ｗ方向）の長さは、回路基板１４の厚さより大きく、段差４３によって面光源装置３０の背面側と第２端面４２cとの間に差し込まれた回路基板１４は、その厚さ方向（Ｗ方向）および面方向（Ｘ方向）の動きを規制される。ここで、液晶表示装置１００および回路基板１４の厚さ方向とは、段差４３の高さ方向で図４に示すＷ方向とする。
【００２１】
図３に示すように、突出部４２は、枠部４１から枠部４１の長手方向に延びる端辺４１aと略直交する方向（Ｘ方向）に延びた第１側面４２a、第２側面４２bと、位置出し部としての位置出し突起４４とを有している。
【００２２】
位置出し突起４４は略矩形状で、突出部４２の第１側面４２aおよび第２側面４２bから端辺４１aと略平行（Ｙ方向）に延びている。位置出し突起４４は、突出部４２の第１側面４２aおよび第２側面４２bからＹ方向に延びる第１側面４４aと、第１端面４４aに対向する第２端面４４bとを有している。位置決め突起４４は、第１端面４４aと段差面４２wとが整列して配置されている。
【００２３】
ここで、Ｘ方向は位置出し突起４４が形成された枠部４１の端辺４１aに略直交する方向で、Ｙ方向は枠部４０の長手方向で、Ｘ方向に略直交する方向とする。
【００２４】
上記のように、フレーム４０の突出部４２に位置出し突起４４を形成すると、面光源装置３０の背面側から、突出部４２に形成された段差面４２wの位置が目視可能となる。そのため、位置出し突起４４の第１端面４４aを目安として回路基板１４を差し込むことにより、回路基板１４は第２端面４２cと反射シート３８との間に差し込まれ、回路基板１４が突出部４２の第１端面４２tと反射シート３８との間に入り込むことを防ぐことができる。その結果、液晶表示装置１００を厚くすることなく回路基板１４を所定位置に位置決めし、表示画像の劣化を防ぐことができる。
【００２５】
図５は本発明の他の実施形態に係る液晶表示装置の突出部４４を面光源装置３０の背面側から見た正面図で、図６は図５に示す液晶表示装置１００をＢ−Ｂ´で切断した断面図である。
【００２６】
図５および図６に示すフレーム４０は、図３および図４に示す場合と同様に、面光源装置３０の背面に沿って延びた突出部４２を有し、突出部４２はその先端部に回路基板１４の厚さ方向（Ｗ方向）および面方向（Ｘ方向）の動きを抑制する段差４３を有している。段差４３は面光源装置３０を支持する第１端面４２t、回路基板１４を支持する第２端面４２c、および第１端面４２tと第２端面４２cとの間を液晶表示装置１００の厚さ方向（Ｗ方向）と略平行に延びる段差面４２wを有している。
【００２７】
図５に示すように、突出部４２は、フレーム４０の枠部４１から、枠部４１の端辺４１aと略直交する方向（Ｘ方向）に延びた第１側面４２a、第２側面４２b、および位置出し部としての位置出し切欠き４６を有している。位置出し切欠き４６は、突出部４２の第１側面４２aおよび第２側面４２bからＹ方向に延びる第１端面４６aと、第１端面４６aに対向する第２端面４６bとを有している。位置出し切欠き４６は、突出部４２の第１側面４２aおよび第２側面４２bから枠部４０の長手方向に延びる端辺４１aと略平行（Ｙ方向）に延びている。位置出し切欠き４６は、第１端面４６aと段差面４２wとが整列する位置に配置されている。
【００２８】
上記のように突出部４２に位置出し切欠き４６を形成することで、図３および図４に示す場合と同様に、回路基板１４が突出部４２の第１端面４２tと反射シート３８との間に入り込むことを防ぐことができる。その結果、液晶表示装置を厚くすることなく回路基板が位置決めされ、表示画像の劣化を防ぐことができる。
【００２９】
なお、この発明は、上記実施形態そのままに限定されるものではなく、その実施の段階ではその要旨を逸脱しない範囲で構成要素を変形して具体化できる。
【００３０】
例えば、上記の実施形態では、位置出し突起４４および位置出し切欠き４６は、端面４４a、４４bと段差面４３wとが整列する位置に形成されたが、段差面４３wから突出部４２の先端側に形成されても良い。この場合、例えば位置だし突起４４は、端面４４aと対向する端面４４bが、段差面４２wと整列する位置に配置される。また、位置出し突起４４および位置出し切欠き４６の位置は上記に限らず、少なくとも段差面４３wが端面４４a、４６aと端面４４b、４６bとの間に位置するように配置されても良い。これらの場合にも、面光源装置３０の背面から見たときに突出部４２の段差面４２wの位置を目視可能とすることができ、上記の実施形態と同様の効果が得られる。
【００３１】
さらに、上記の実施形態では、位置出し突起４４および位置出し切欠き４６は略矩形状であるが、段差面４３wと整列して配置されたＹ方向に延びる端面または端辺を有する形状であれば良い。
【００３２】
また、上記の実施形態に開示されている複数の構成要素の適宜な組み合せにより種々の発明を形成できる。例えば、実施形態に示される全構成要素から幾つかの構成要素を削除してもよい。異なる実施形態に亘る構成要素を適宜組み合せてもよい。上記の実施形態では、位置出し突起４４および位置出し切欠き４６は、段差４３のＹ方向に延びた両端に形成されているが、どちらか一方の端に形成されてもよい。また、一つの突出部４２に、位置出し突起４４と位置出し切欠き４６とが形成されても良く、一方の端面には段差面４３wと端面４４a、４６aとが整列する位置に形成され、他方の端面には段差面４３wと端面４４b、４６bとが整列する位置に形成されても良い。これらの場合にも、上記の実施形態と同様の効果が得られる。
【図面の簡単な説明】
【００３３】
【図１】本発明の一実施形態に係る液晶表示装置を概略的に示す分解斜視図。
【図２】図１に示す面光源装置を概略的に示す分解斜視図。
【図３】図１に示す液晶表示装置のフレームの突出部を面光源装置の背面側から見た正面図。
【図４】図３に示す液晶表示装置をＡ−Ａ´で切断した断面図。
【図５】本発明の他の実施形態に係る液晶表示装置のフレームに形成された突出部を面光源装置の背面側から見た正面図。
【図６】図５に示す液晶表示装置Ｂ−Ｂ´で切断した断面図。
【符号の説明】
【００３４】
１００…液晶表示装置、１０…液晶表示パネル、１１…アレイ基板、１２…表示部、１３…対向基板、１４…回路基板、１６…フレキシブル基板、ＰＸ…画素、２０…ベゼルカバー、３０…面光源装置、３２…冷陰極管、３４…導光体、３６…光学シート、３８…反射シート、４０…フレーム、４１…枠部、４２…突出部、４４…位置出し突起、４６…位置出し切欠き
【図１】
2006133398.tif 000003
【図２】
2006133398.tif 000004
【図３】
2006133398.tif 000005
【図４】
2006133398.tif 000006
【図５】
2006133398.tif 000007
【図６】
2006133398.tif 000008